(57)【要約】      （修正有）【課題】簡易な構造により甘爪処理プッシャーの刃先を容易にそして確実に研磨可能とした甘爪処理プッシャーの研磨器具を提供する。【解決手段】半円（かまぼこ状）または円柱状の台座１１の上に研磨面１２（サンドペーパー）を配置した。台座の素材は一例として三次元プリンターによって形成された樹脂製の台座１１を使用する。サンドペーパーは紙状のシートに研磨材を塗布した紙やすりであるが、布やすり等、平面状のやすりであれば使用可能である。サンドペーパーの研磨面の目の粗さについてはプッシャー１の素材、形状等に応じて適宜設定される。【選択図】図１
2016077330.tif 000002
【特許請求の範囲】
【請求項１】
湾曲した研磨面を備えたことを特徴とする甘爪処理プッシャーの研磨器具。
【請求項２】
研磨器具の全体形状をかまぼこ状、または円柱状としたことを特徴とする請求項１記載の甘爪処理プッシャーの研磨器具。
【請求項３】
爪の左右方向の湾曲に沿った凹状の研磨面、及び凸状の研磨面を備えたことを特徴とする請求項１記載の甘爪処理プッシャーの研磨器具。
【請求項４】
曲面を備えた台座と、その台座上に取り付けられた研磨材から構成されることを特徴とする請求項１、２又は３記載の甘爪処理プッシャーの研磨器具。
【請求項５】
前記研磨材は樹脂製の台座上に固定されたサンドペーパーから構成されることを特徴とする請求項４記載の甘爪処理プッシャーの研磨器具。
【請求項６】
所定の条件下で柔軟化する台座を使用し、
その台座上に研磨面を配置し、
その研磨面を左右方向にのみ湾曲する部材で形成し、
台座を所定の条件下で柔軟化させることによって台座上の研磨面を任意の形状に湾曲自在とし、
研磨面の形決めを行った後に、台座を固化させて、研磨面を任意の形状に形成可能としたことを特徴とする請求項１記載の甘爪処理プッシャーの研磨器具。
【発明の詳細な説明】
【技術分野】
【０００１】
本発明は、簡易な構造により甘爪処理プッシャーの刃先を容易にそして確実に研磨可能とした甘爪処理プッシャーの研磨器具に関する。
【背景技術】
【０００２】
爪の付け根部分（生え際部分）は甘爪（または甘皮）と呼ばれる薄皮によって被覆されている。個人または爪の装飾（ネイルアート）や手入れなどを専門に行なう業者では爪にマニキュア液やペディキュア液を塗布する際に、爪表面の輪郭を整える目的等から不要な甘皮を甘爪処理プッシャーを用いて除去する処理が一般に行われている。
この甘爪処理プッシャーは使用に伴い刃先が摩耗するため、使用頻度に応じて定期的に研磨する作業が必要である。
この甘爪処理プッシャーの刃先は湾曲しているために、専用の研磨器具・装置は存在しないのが現状である。
なお、特許文献１のような装置を利用して研磨することは可能である。
【先行技術文献】
【特許文献】
【０００３】
【特許文献１】特開平５−２２８８４７号公報
【発明の概要】
【発明が解決しようとする課題】
【０００４】
特許文献１の技術は、装置に架け渡した研磨ベルトをスライドさせて研磨する構成であるが、装置が複雑であるという問題がある。
本発明は係る従来の問題点を解決するためになされたものであって、その目的とするところは、簡易な構造により甘爪処理プッシャーの刃先を容易にそして確実に研磨可能とした甘爪処理プッシャーの研磨器具を提供することにある。
【課題を解決するための手段】
【０００５】
前記目的を達成するための手段として請求項１記載の甘爪処理プッシャーの研磨器具では、湾曲した研磨面を備えたことを特徴とする。
【０００６】
請求項２記載の甘爪処理プッシャーの研磨器具では、請求項１記載の甘爪処理プッシャーの研磨器具において、研磨器具の全体形状をかまぼこ状、または円柱状としたことを特徴とする。
【０００７】
請求項３記載の甘爪処理プッシャーの研磨器具では、請求項１記載の甘爪処理プッシャーの研磨器具において、爪の左右方向の湾曲に沿った凹状の研磨面、及び凸状の研磨面を備えたことを特徴とする。
【０００８】
請求項４記載の甘爪処理プッシャーの研磨器具では、請求項１、２又は３記載の甘爪処理プッシャーの研磨器具において、曲面を備えた台座と、その台座上に取り付けられた研磨材から構成されることを特徴とする。
【０００９】
請求項５記載の甘爪処理プッシャーの研磨器具では、請求項４記載の甘爪処理プッシャーの研磨器具において、前記研磨材は樹脂製の台座上に固定されたサンドペーパーから構成されることを特徴とする。
【００１０】
請求項６記載の甘爪処理プッシャーの研磨器具では、請求項１記載の甘爪処理プッシャーの研磨器具において、所定の条件下で柔軟化する台座を使用し、その台座上に研磨面を配置し、その研磨面を左右方向にのみ湾曲する部材で形成し、台座を所定の条件下で柔軟化させることによって台座上の研磨面を任意の形状に湾曲自在とし、研磨面の形決めを行った後に、台座を固化させて、研磨面を任意の形状に形成可能としたことを特徴とする。
【発明の効果】
【００１１】
本発明では以下の効果を有する。
請求項１記載の甘爪処理プッシャーの研磨器具では、湾曲した研磨面を備えているので、甘爪処理プッシャーの湾曲した刃先を研磨面に当接させてスライドさせることにより容易に研磨することができる。
【００１２】
請求項２記載の甘爪処理プッシャーでは、研磨器具の全体形状をかまぼこ状、または円柱状としたので、安定的なしかもシンプルな形状の研磨器具が構成される。
【００１３】
請求項３記載の甘爪処理プッシャーでは、爪の左右方向の湾曲に沿った凹状の研磨面、及び凸状の研磨面を備えているので、プッシャー刃先の表側及び裏側の両面を研磨することができる。
【００１４】
請求項４記載の甘爪処理プッシャーでは、曲面を備えた座部と、その座部上に取り付けられた研磨材から構成されるので、簡易な構造により研磨器具が構成されると共に、研磨材の取り換えが可能となる。
【００１５】
請求項５記載の甘爪処理プッシャーでは、研磨材は樹脂製の座部上に固定されたサンドペーパーから構成されるので、簡易な構造により研磨器具が構成されると共に、研磨材の取り換えが可能となる。
【００１６】
請求項６記載の甘爪処理プッシャーでは、所定の条件下で柔軟化する座部を使用し、  その座部上に研磨面を配置し、その研磨面を左右方向にのみ湾曲する部材で形成し、座部を所定の条件下で柔軟化させることによって座部上の研磨面を任意の形状に湾曲自在とし、研磨面の形決めを行った後に、座部を固化させて、研磨面を任意の形状に形成可能としたので、様々な形状の刃先に対応することができる。
【図面の簡単な説明】
【００１７】
【図１】第１実施例に係る甘爪処理プッシャーの研磨器具の斜視図である。
【図２】第２実施例に係る甘爪処理プッシャーの研磨器具の斜視図である。
【図３】第４実施例に係る甘爪処理プッシャーの研磨器具の斜視図である。
【図４】（ａ）甘爪処理プッシャーの平面図である。          （ｂ）甘爪処理プッシャーの底面図である。（ａ）甘爪処理プッシャーの側面図である。
【図５】矢視Ｅにおける拡大断面図である。
【図６】矢視Ｆにおける拡大断面図である。
【図７】甘爪処理プッシャーの使用状態を示す説明図である。
【発明を実施するための形態】
【００１８】
本発明を実施するための形態を説明する。
本発明を適用する甘爪処理プッシャー１は図４〜６に示すように、全体形状は細長いロッド状とされ、素材はステンレスから構成されている。素材はステンレスに限定されるものではないが甘爪を処理できる金属硬材から構成されている。
中央には掴持部であるホルダー２が配置され、その一端にはプッシャー部３、他端には爪処理部４が配置されている。
ホルダー２の上面は平らに形成されており、その上面を除く外周全体には細かな凹凸（ギザ）が形成されて滑り止め処理がなされている。
【００１９】
ホルダー２先端にはプッシャー部３が突設され、そのプッシャー部３は数ｃｍ程度前方に伸びて先端部分は左右方向に円弧を描いて湾曲している。つまり、刃先５が下に閉じた状態で湾曲しており、そのカーブは爪の左右の湾曲に沿った形状をしている。
プッシャー先端は爪の甘爪を押し上げて除去できるように、金属が鋭角に屈曲した刃先５とされている。
使用方法は図７に示すように、先端の湾曲した刃先５を爪７に当て、甘爪（甘皮）を押し上げるように除去処理を行う。
【００２０】
ホルダー２の後端の爪処理部４は、ロッド部先端に斜め方向に湾曲した平行刃６を備えている。この平行刃６は処理対象である甘爪の形状、性質等に応じてプッシャー部３と組み合わせて適宜使用される部位である。
【実施例１】
【００２１】
第１実施例に係る甘爪処理プッシャーの研磨器具１０は図１に示すように、半円（かまぼこ状）の台座１１の上に研磨面１２（サンドペーパー）を配置したものである。
台座の素材は樹脂、木、金属製等特に限定されるものではないが、一例として三次元プリンターによって形成された樹脂製の台座１１を使用する。
三次元プリンターを使用することによりプッシャーの刃先５に沿った曲面の形成が容易に行われる。
台座１１とサンドペーパーの固定方法については、台座１１上全面に貼付した両面テープで台座とサンドペーパーを接着する方法によるが、その他、接着剤による取付け、台座１１上にサンドペーパーの取付溝、取付爪を形成し、その取付溝、取付爪にサンドペーパーを嵌め込む方法によることも可能である。
【００２２】
サンドペーパーは紙状のシートに研磨材を塗布した紙やすりであるが、布やすり等、平面状のやすりであれば使用可能である。サンドペーパーの研磨面の目の粗さについてはプッシャーの素材、形状等に応じて適宜設定される。
台座１１の上面には円弧状に曲面が形成されており、この曲面に沿ってサンドペーパーが配置される。
本発明の研磨器具１０の使用方法は、プッシャーの刃先５を研磨面１２であるサンドペーパーの曲面に沿って当接させ、プッシャー１を前後にスライドさせることにより刃先が研磨される。
【実施例２】
【００２３】
第２実施例に係る甘爪処理プッシャーの研磨器具１０は図２に示すように、円柱上の台座１１の上に研磨面１２を配置したものである。
円柱状とすることにより、半円の研磨器具に比較して２倍の研磨面を確保することができると共に、棒状となるので、研磨器具本体の把持が容易に行われる。
その他の作用・効果については前記第１実施例と同様である。
【実施例３】
【００２４】
第３実施例に係る甘爪処理プッシャーの研磨器具１０は、台座の形状を動物、アニメ等のキャラクター、日用品、置物・機器・装置で形成し、その一部に曲面を形成してその上にサンドペーパーを配置した構成である。
前記実施例では半円、かまぼこ状、円柱状の台座１１について説明したが、三次元プリンターでは任意の形状の加工が容易であるので、多様な形状の台座を形成することが可能となる。
【実施例４】
【００２５】
第４実施例に係る甘爪処理プッシャーの研磨器具は図３に示すように、台座１１上に、凹部１３と凸部１４の両方の研磨面１２を形成したものである。三次元プリンターは所定形状の台座の形成が容易であるので、凹部１３と凸部１４を有する台座を形成し、その上面に前記実施例１と同様の方法によりサンドペーパーを取り付けることにより形成される。
プッシャーの刃先５は下側に閉じて凹状に湾曲しているが、上側は凸状に湾曲している。そこで、刃先の上側と下側をそれぞれの形状に沿った部位（研磨面１２）に当接させて前後にスライドさせることにより刃先の表側及び裏側を研磨することができる。
【実施例５】
【００２６】
第５実施例に係る甘爪処理プッシャーの研磨器具１０は、所定の条件化で柔軟化する台座１１を使用し、その台座１１上に研磨面１２を配置し、研磨面を任意の形状に湾曲自在とした構成である。
台座１１を柔軟化させる方法としては、蝋のような常温で固形化状態にあり、温度を上げると流動化する物質、あるいは、常温では変形しにくいが、加熱すると軟化して成形しやすくなり、冷やすと再び固くなる物質、一例として熱可塑性樹脂を充填し、樹脂または蝋状物質を充填した外側を外郭で囲い、温度を上げて内部の充填物を柔軟化・流動状あるいは粘土状とし、柔らかくなった状態で研磨面を所定の形状に湾曲させ、研磨面の形を決めた後に、常温に戻し、台座を固化させる方法等による。
温度を上げる方法としては火炎の照射、熱湯・発熱体との接触、電子レンジ等による。
【００２７】
研磨面１２はプッシャー研磨時のスライド方向には屈曲せずに、スライド方向に対して左右方向にのみ湾曲する部材で構成する。一例として、すのこ状に縦に筋材を平行に通して単一方向にのみ湾曲する部材、あるいは、チェインベルト等の単一方向にのみ湾曲する部材を使用し、それら部材の上面に研磨処理機能を持たせ、またはそれら部材の上面にサンドペーパーを貼付する方法等による。
また、研磨面１２は鋭角に屈曲しないようにある程度の丸みをもって湾曲可能な部材を使用する。
本実施例の甘爪処理プッシャーの研磨器具１０では、台座１１を所定の条件下で柔軟化させることによって台座上の研磨面を任意の形状に湾曲自在とされるので、様々な形状の刃先に対応できる研磨面が形成される。
【００２８】
以上、実施例を説明したが、本発明の具体的な構成は前記実施例に限定されるものではなく、発明の要旨を逸脱しない範囲の設計変更等があっても本発明に含まれる。
例えば、前記実施例では台座の上にサンドペーパーを貼付した構成について説明したが、台座と研磨面を一体構成する場合であっても本発明に含まれる。
【符号の説明】
【００２９】
１  甘爪処理プッシャー
２  ホルダー
３  プッシャー部
４  爪処理部
５  刃先
６  平行刃
７  爪
１０  甘爪処理プッシャーの研磨器具
１１  台座
１２  研磨面
１３  凹部
１４  凸部
【図１】
2016077330.tif 000003
【図２】
2016077330.tif 000004
【図３】
2016077330.tif 000005
【図４】
2016077330.tif 000006
【図５】
2016077330.tif 000007
【図６】
2016077330.tif 000008
【図７】
2016077330.tif 000009